(57)【特許請求の範囲】
【請求項１】
上面が開口した箱型のカートン本体（１）と、このカートン本体（１）の上面開口の後縁に連接され、カートン本体（１）の上面開口を開閉する蓋体（２）と、この蓋体（２）を閉状態でロックする錠機構（３）とを備え、適度の剛性を有する紙のシート材により形成されたカートンであって、
錠機構（３）は、蓋体（２）の先端縁に連接された差込片（４）と、カートン本体（１）の前側壁（９）に取り付けられ、前側壁（９）の外面との間に差込片（４）が差し込まれる差込部（３６）を形成する差込部形成片（５）と、差込片（４）が差込部（３６）内に差し込まれた状態で差込部（３６）内に差し込まれる鍵（６）とから成り、
差込片（４）は、先端部の厚みを大きくして掛止片（１７）を形成したものであり、
差込部形成片（５）は、その上端縁から差込部（３６）内に向けて延び、差込部（３６）内に差し込まれた差込片（４）上の掛止片（１７）の上端に係合して差込片（４）が差込部（３６）から脱け出る方向に移動するのを阻止する係止片（２９）を具備し、
鍵（６）は、その下端から後方かつ上方に向けて延びる引掛片（３５）を具備し、
係止片（２９）が掛止片（１７）の上端に係合する際に係止片（２９）が差込片（４）の外面を打撃して音が発生し、係止片（２９）が掛止片（１７）に係合した状態で鍵（６）を差込部（３６）内に差し込むと係止片（２９）と掛止片（１７）の係合が解除し、引掛片（３５）の上端が差込片（４）の先端を越えるまで鍵（６）を差込部（３６）内に差し込むと引掛片（３５）が前側壁（９）の外面を打撃して音が発生し、その後、鍵（６）を上方に引くと、引掛片（３５）が差込片（９）の先端を引っ掛けて蓋体（２）が開方向に回動するようにしたことを特徴とするカートン。
【発明の詳細な説明】
【０００１】
【発明の属する技術分野】
本発明は、子供の遊び道具等に用いられ、簡単な操作で施錠と解錠を行うことができる錠機構を備えたカートンに関するものであり、特に、施錠と解錠を音で知らせるようにしたカートンに関するものである。
【０００２】
【従来の技術】
従来、この種のカートンは存在していなかった。
【０００３】
【発明が解決しようとする課題】
本発明は、上述したカートンを提供することを目的としてなされたものである。
【０００４】
【課題を解決するための手段】
上述した目的を達成するために、本発明は、図面に示す如く、上面が開口した箱型のカートン本体（１）と、このカートン本体（１）の上面開口の後縁に連接され、カートン本体（１）の上面開口を開閉する蓋体（２）と、この蓋体（２）を閉状態でロックする錠機構（３）とを備え、適度の剛性を有する紙のシート材により形成されたカートンであって、
錠機構（３）は、蓋体（２）の先端縁に連接された差込片（４）と、カートン本体（１）の前側壁（９）に取り付けられ、前側壁（９）の外面との間に差込片（４）が差し込まれる差込部（３６）を形成する差込部形成片（５）と、差込片（４）が差込部（３６）内に差し込まれた状態で差込部（３６）内に差し込まれる鍵（６）とから成り、
差込片（４）は、先端部の厚みを大きくして掛止片（１７）を形成したものであり、
差込部形成片（５）は、その上端縁から差込部（３６）内に向けて延び、差込部（３６）内に差し込まれた差込片（４）上の掛止片（１７）の上端に係合して差込片（４）が差込部（３６）から脱け出る方向に移動するのを阻止する係止片（２９）を具備し、
鍵（６）は、その下端から後方かつ上方に向けて延びる引掛片（３５）を具備し、
係止片（２９）が掛止片（１７）の上端に係合する際に係止片（２９）が差込片（４）の外面を打撃して音が発生し、係止片（２９）が掛止片（１７）に係合した状態で鍵（６）を差込部（３６）内に差し込むと係止片（２９）と掛止片（１７）の係合が解除し、引掛片（３５）の上端が差込片（４）の先端を越えるまで鍵（６）を差込部（３６）内に差し込むと引掛片（３５）が前側壁（９）の外面を打撃して音が発生し、その後、鍵（６）を上方に引くと、引掛片（３５）が差込片（９）の先端を引っ掛けて蓋体（２）が開方向に回動するようにしたことを特徴としている。
【０００５】
【発明の実施の形態】
以下、本発明の具体的な実施形態を図面を参照しながら説明する。
図１は本発明の一実施形態であるカートンの斜視図であり、カートン本体が開口した状態を示す図、図２はカートン本体が閉じた状態を示す斜視図、図３はカートン本体、蓋体、及び差込片を形成するブランク板を外面側から見た平面図、図４は差込部形成片を形成するブランク板を外面側から見た平面図、図５は鍵を形成するブランク板を外面側から見た平面図、図６は図１のＡ−Ａ’線断面図、図７は図２のＢ−Ｂ’線断面図、図８〜図１０は解錠動作の説明図である。なお、図３〜図５において、二点鎖線は折罫を表している。
【０００６】
本実施形態のカートンは、例えば子供の遊び道具として用いられ、アクセサリーや玩具等を収納するためのものであって、ボール紙等の適度の剛性を有する紙のシート材により形成されており、図１に示すように、上面が開口した箱型のカートン本体１と、このカートン本体１の上面開口の後縁に連接され、カートン本体１の上面開口を開閉する蓋体２と、蓋体２を閉状態でロックする錠機構３とを備えている。なお、錠機構３は、蓋体２の先端縁に連接された差込片４と、カートン本体１の前側面に取り付けられた差込部形成片５と、カートン本体１とは別体の鍵６とから成っている。
【０００７】
カートン本体１、蓋体２、及び差込片４は、図３に示す一枚のブランク板により形成されている。このブランク板では、カートン本体１の後側壁７の一側縁に、左側壁８、前側壁９、及び右側壁１０が順次連接され、後側壁７の上端縁に蓋体２及び差込片４が順次連接され、後側壁７、左側壁８、前側壁９、及び右側壁１０の下端縁に底壁形成片１１〜１４が連接されている。
【０００８】
蓋体２の先端縁には、差込片４の両側に位置するように一対の補強片１５が連接されており、蓋体２の両側縁にもそれぞれ補強片１６が連接されている。また、差込片４の先端縁には掛止片１７が連接されている。この掛止片１７は、前壁１７ａと、その下端縁に連接された底壁１７ｂと、前壁１７ａの上端縁に連接された頂壁１７ｃと、頂壁１７ｃの上端縁中央部に連接された舌片１７ｄと、その両側に位置するように頂壁１７ｃの上端縁に連接された一対の折込片１７ｅとから成っている。そして、差込片４には、舌片１７ａが差し込まれるスリット１８が刻設されている。
【０００９】
左側壁８、前側壁９、及び右側壁１０の上端縁には折込片１９〜２１が連接されており、後側壁７の他側縁には糊代片２２が連接されている。また、前側壁９には、差込部形成片５の抜け止め片２８（後述）が差し込まれる一対のスリット２３が刻設されており、前側壁９の下端中央部には、差込部形成片５の舌片３０（後述）が差し込まれるスリット２４が刻設されている。
【００１０】
差込部形成片５を形成するブランク板は、図４に示すように、前壁２５と、その両側縁に順次対称的に連接された側壁２６、側壁２７、及び抜け止め片２８と、前壁２５の上端縁に連接された係止片２９と、前壁２５の下端縁に連接された舌片３０とを備えている。抜け止め片２８の上部と下部には折罫が刻設されていて、上端部２８ａ、下端部２８ｂ、中間部２８ｃを区画形成している。
【００１１】
鍵６を形成するブランク板は、図５に示すように、前面パネル３１と、その下端縁に連接された後面パネル３２とから成っている。前面パネル３１の上部には略Ｕ字形のスリットが刻設されて舌片３３が形成されており、後面パネル３２の下端には、この舌片３３に係合する切欠部３４が形成されている。また、前面パネル３１の下端から後面パネル３２に向けて突出するように略Ｕ字形のスリットが刻設されて引掛片３５が形成されている。
【００１２】
底壁形成片１１〜１４は、いわゆるオートボトムと称されるもので、カートン本体１を立体化する際に協働してカートン本体１の底壁を形成するようになっている。すなわち、底壁形成片１１、１３は、その右側に、折罫によって区画形成された貼着部１１ａ、１３ａを有しており、その外面には、隣接する底壁形成片１２、１４が貼着される。また、底壁形成片１１、１３は先端縁の略中央部に切欠部１１ｂ、１３ｂを有しており、これらはカートン本体１の立体時に相互に係合する。
【００１３】
次に、本実施形態のカートンの組み立て方法を説明する。
まず、蓋体２の上端縁及び両側縁に連接された補強片１５、１６を内方に折り曲げて蓋体２の内面に貼着する。次いで、掛止片１７の頂壁１７ｃを前壁１７ａに対して外面側に直角に折り曲げるとともに頂壁１７ｃの上端縁に連接された一対の折込片１７ｅを前壁１７ａの外面側に直角に折り曲げて前壁１７ａと平行にする。そして、底壁１７ｂを差込片４に対して外面側に直角に折り曲げるとともに前壁１７ａを差込片４の外面側に直角に折り曲げて舌片１７ｄを差込片４のスリット１８に差し込み、さらに舌片１７ｄを蓋体２側に折り曲げて差込片４の裏面に重ね合わせる（図６参照）。
【００１４】
次いで、底壁形成片１１、１２を内方に直角に折り曲げるとともに左側壁８を後側壁７に対して内方に直角に折り曲げ、底壁形成片１１の貼着部１１ａを底壁形成片１２の外面に貼着する。また、底壁形成片１３、１４を内方に直角に折り曲げるとともに右側壁１０を前側壁９に対して内方に直角に折り曲げ、底壁形成片１３の貼着部１３ａを底壁形成片１４の外面に貼着する。
【００１５】
そして、底壁形成片１１、１３を折罫の部分で折り曲げて底壁形成片１１〜１４を内方に折り込むとともに右側壁１０を糊代片２２の外面に接着してブランク板を扁平な筒状とする。このブランク板を、後側壁７、左側壁８、前側壁９、及び右側壁１０が角筒状になるように立体化すると、底壁形成片１１〜１４が自動的に外方に倒れるとともに切欠部１１ｂ、１３ｂが相互に係合してカートン本体１の底壁が自動的に形成される。
【００１６】
次いで、図４に示すブランク板の係止片２９を内方に鋭角状に折り曲げ、舌片３０を内方に直角に折り曲げる。そして、一対の側壁２６を前壁２５に対して内方に鈍角状に折り曲げ、一対の側壁２７を側壁２６に対して内方に鈍角状に折り曲げる。次いで、一対の抜け止め片２８を側壁２７に対して内方に直角に折り曲げるとともに各抜け止め片２８の上端部２８ａと下端部２８ｂを折罫に沿って外方に１８０゜折り曲げて中間部２８ｃに重ね合わせる。そして、各抜け止め片２８をカートン本体１の前側壁９のスリット２３に差し込み、各抜け止め片２８の上端部２８ａと下端部２８ｂを中間部２８ｃの外面から離れる方向に９０゜折り曲げて抜け止め片２８がスリット２３から抜けないようにする。また、舌片３０を前側壁９のスリット２４に差し込む。
【００１７】
これによって、図１に示す如く、差込部形成片５がカートン本体１の前側壁９に取り付けられた状態となり、前側壁９の外面との間に、差込片４を差し込むためのポケット状の差込部３６が形成される。なお、係止片２９の下端は前側壁９の外面に当接しており、係止片２９は、上端縁を支点として上方に回動しようとする弾発性を有している。
【００１８】
また、図５に示すブランク板を、前面パネル３１と後面パネル３２の境界線で二つ折りし、舌片３３を切欠部３４に係合させて前面パネル３１と後面パネル３２を重ね合わせた状態で相互に固定する。そして、引掛片３５を後方に倒して後方かつ上方に向けて延びるようにすると、図１に示すような鍵６が形成されてカートンの組み立てが終了する。
【００１９】
次に、完成したカートンの使用方法を説明する。
カートン本体１の上面が開口した状態でカートン本体１内に物品を収納し、蓋体２を閉方向に回動させて差込片４の先端を差込部３６内に差し込むと、掛止片１７の底壁１７ｂが差込部形成片５の係止片２９に当接して係止片２９を差込部形成片５の前壁２５に接近する方向に回動させる。
【００２０】
蓋体２がカートン本体１の上面開口を閉鎖するのとほぼ同時に掛止片１７の上端が係止片２９の先端を乗り越え、係止片２９が、その弾発性によって前側壁９に接近する方向に回動し、係止片２９の先端が差込片４の外面を打撃して音が発生するとともに係止片２９の先端が掛止片１７の頂壁１７ｃに係合する（図７参照）。これによって、差込片４が差込部３６から抜け出る方向に移動するのが阻止され、蓋体２が閉状態でロックされる。したがって、蓋体２がロックされたか否かを音によって確認することができるものである。
【００２１】
蓋体２のロックを解除するには、鍵６の下端を差込部３６内に差し込む。これによって、図８に示すように、鍵６の下端が係止片２９に当接して係止片２９が前壁２５に接近する方向に回動し、係止片２９と掛止片１７の頂壁１７ｃとの係合が解除する。なお、このとき、鍵６の引掛片３５は、掛止片１７に押されて後面パネル３２の下端に形成された凹部３７（図１参照）内に入り込んだ状態となっている。この状態で、引掛片３５は、下端を支点として後方へ回動しようとする弾発性を有している。
【００２２】
さらに鍵６を下方に差し込んで引掛片３５の上端が差込片４の先端を越えると、引掛片３５が、その弾発性により後方に回動し、その先端がカートン本体１の前側壁９の外面を打撃して音が発生する。したがって、蓋体２のロックが解除されたか否かを音によって確認することができる。そして、鍵６を上方に引くと、引掛片３５が差込片４の先端を引っ掛けて蓋体２が開方向に回動し（図１０参照）、カートン本体１の上面が開口する。
【００２３】
なお、本発明は上述した実施形態に限定されるものではなく、本発明の要旨を逸脱しない範囲で上述した実施形態に種々の変形を加えることができる。
【００２４】
【発明の効果】
以上説明したように本発明のカートンは、簡単な操作で施錠と解錠を行うことができ、且つ施錠と解錠を音で確認することができるので、便利であるとともに興趣性に富んでいる。また、紙のシート材で形成されているため、安価に製造することができるとともに、安全で、廃棄性にも優れ、子供向けの遊び道具として極めて好適である。
【図面の簡単な説明】
【図１】  本発明の一実施形態であるカートンの斜視図であり、カートン本体が開口した状態を示す図。
【図２】  カートン本体が閉じた状態を示す斜視図。
【図３】  カートン本体、蓋体、及び差込片を形成するブランク板を外面側から見た平面図。
【図４】  差込部形成片を形成するブランク板を外面側から見た平面図。
【図５】  鍵を形成するブランク板を外面側から見た平面図。
【図６】  図１のＡ−Ａ’線断面図。
【図７】  図７は図２のＢ−Ｂ’線断面図。
【図８】  解錠動作の説明図。
【図９】  解錠動作の説明図。
【図１０】  解錠動作の説明図。
【符号の説明】
１  カートン本体
２  蓋体
３  錠機構
４  差込片
５  差込部形成片
６  鍵
９  差込片
１７  掛止片
２９  係止片
３５  引掛片
３６  差込部
【図１】
0004493201.tif 000002
【図２】
0004493201.tif 000003
【図３】
0004493201.tif 000004
【図４】
0004493201.tif 000005
【図５】
0004493201.tif 000006
【図６】
0004493201.tif 000007
【図７】
0004493201.tif 000008
【図８】
0004493201.tif 000009
【図９】
0004493201.tif 000010
【図１０】
0004493201.tif 000011